(57)【要約】【課題】ドラム演奏時における演奏者の臀部の発汗を抑制して不快感が生じないようにするとともに、挫骨への衝撃を抑止して臀部に痛みが生じないようにし、長時間の演奏においても、演奏者が安定した姿勢で快適に演奏を継続できるドラム演奏用椅子を提供する。【解決手段】座板１の外形を形どる形状に成形されたフレーム３に通気性を備えたメッシュ状織布６を張設する。【選択図】      図１
2004233525.tif 000002
【特許請求の範囲】
【請求項１】
座板の外形を形どる形状に成形されたフレームに通気性を備えたメッシュ状織布を張設してなることを特徴とするドラム演奏用椅子。
【請求項２】
メッシュ状織布を重層して張設してなることを特徴とする請求項１記載のドラム演奏用椅子。
【請求項３】
立体織物が施されたメッシュ状織布を表層に張設したことを特徴とする請求項２記載のドラム演奏用椅子。
【請求項４】
座板の外形を形どる形状に成形され、且つ、通気孔の形成されたフレームに通気性を備えたメッシュ状織布を張設してなり、前記フレームに圧搾空気を供給して通気孔から座板の裏面に向けて気流を発生させるようにしたことを特徴とするドラム演奏用椅子。
【請求項５】
座板の外形を形どる形状に成形されたフレームに通気性を備えたメッシュ状織布を張設した座板下部に送風機を設け、該送風機により前記座板の裏面に向けて気流を発生させるようにしたことを特徴とするドラム演奏用椅子。
【発明の詳細な説明】
【０００１】
【発明の属する技術分野】
本発明は、楽器演奏、特にドラム演奏に好適となるように改良された椅子に関するもので、演奏者の発汗を抑制するとともに着座の快適性を向上するようにしたものである。
【０００２】
【従来の技術】
一般に、ドラム演奏では、演奏者の周囲にドラム、シンバル、パーカッションなど、複数の打楽器を配置し、スティクなどでこれらを打撃するようにしている。通常、このような演奏では、演奏者は椅子に着座し、演奏者が自身の臀部で身体を支え、両手、両足が演奏に自由な状態となるようにしている。したがって、着座姿勢を安定に保つことは重要な課題であり、種々の改良がなされている（例えば、特許文献１）。
【０００３】
上記に例示した特許文献１の座板部分は、図７に示すような構成が採用されている。即ち、同図に示すように演奏者の身体を支える座板１００は、演奏者の身体荷重に耐えうる剛性を備えたバック材１０１が支脚１０２に固定され、そしてこのバック材１０１上に発泡ウレタンなどのクッション材１０３を内包して合成皮革１０４が張設されている。
【０００４】
【特許文献１】
特開２００２−３２８６７４号
【０００５】
【発明が解決しようとする課題】
上記のように構成された従来のドラム演奏用椅子は、着座の安定性、快適性を求めるためにクッション材１０３を用い、これを合成皮革１０４で包み込むようにしている。したがって、クッション材１０３が蓄熱材として機能するようになり、密着した演奏者の臀部の体温が蓄熱されて発汗が促進され、座板の表皮が合成皮革であることと相俟って不快感を生じるものであった。
【０００６】
また、クッション材１０３の形状の安定を保つため、バック材１０１を採用するようにしているが、演奏時にはクッション材１０３への演奏者の臀部の沈み込みが大きくなり、バック材１０１により演奏者の挫骨が圧迫され、臀部に痛みを生じるため、安定した演奏姿勢を長時間保つことが困難であった。
【０００７】
本発明は、かかる従来の問題に鑑みなされたもので、ドラム演奏時における演奏者の臀部の発汗を抑制して不快感が生じないようにするとともに、挫骨への衝撃を抑止して臀部に痛みが生じないようにしたもので、長時間の演奏においても、演奏者が安定した姿勢で快適に演奏を継続できるドラム演奏用椅子を提供することを目的とするものである。
【０００８】
【課題を解決するための手段】
そこで、本発明は以下に述べる各手段により上記課題を解決するようにした。即ち、請求項１の発明では、座板の外形を形どる形状に成形されたフレームに通気性を備えたメッシュ状織布を張設する。そして、請求項２の発明では、請求項１の構成において、メッシュ状織布を重層して張設するようにする。さらに、請求項３の発明では、請求項２の発明において、立体織物が施されたメッシュ状織布を表層に張設するようにする。
【０００９】
請求項４の発明では、座板の外形を形どる形状に成形され、且つ、通気孔の形成されたフレームに通気性を備えたメッシュ状織布を張設してなり、前記フレームに圧搾空気を供給して通気孔から座板の裏面に向けて気流を発生させるようにする。
【００１０】
請求項５の発明では、座板の外形を形どる形状に成形されたフレームに通気性を備えたメッシュ状織布を張設した座板下部に送風機を設け、該送風機により前記座板の裏面に向けて気流を発生させるようにする。
【００１１】
【発明の実施の形態】
以下、本発明の実施の形態を図にもとづいて詳細に説明する。
【００１２】
図１は、本発明のドラム演奏用椅子の完成状態の正面図であり、本発明により構成された座板１は、支脚２に高さ調整ならびに回転可能に固定されている。前記座板１は、図２に示すようにその外形を形どる形状に成形されたフレーム３を主体に構成されている。このフレーム３は、例えば、十分な剛性を備えた中空の金属製パイプを曲成したもので、対向する内側に支持フレーム４が溶接により接続されている。さらに、支持フレーム４の中央には支持板５が溶接されて固定されており、支脚２への取り付けが可能となるようにしている。
【００１３】
つぎに、前記フレーム３に張設するメッシュ状織布６は、ポリエステル、ナイロンなどの化学合成繊維からなり、その端部がフレーム３に固定されている。符号７は完成した座板１の外周面を囲繞するように被着する縁取部材であり、座板１の周縁保護と装飾性を得るためのもので、合成樹脂などのように可撓性を備えた素材で凹部７ａがフレーム３に嵌合するように成形されている。
【００１４】
このように座板１の着座部は、フレーム３とメッシュ状織布６で構成されるのであるが、その組立工程はまず、フレーム３の形状に対応する凹部が形成された金型上に、外周に張力を与えて緊張状態にしたメッシュ状織布６を配置し、つぎに、例えば、溶融した熱可塑性樹脂を前記メッシュ状織布６と接面する部分に塗布したフレーム３を前記凹部に嵌め込み、この状態を維持して前記熱可塑性樹脂を硬化させる。これにより、フレーム３にメッシュ状織布６に張力を与えた状態で張設することができ、メッシュ状織布６の外周の不要となる部分をトリミング処理により除去して整える。
【００１５】
つぎに、このようにしてフレーム３に張設されたメッシュ状織布６の外周位置に縁取部材７を配置し、この縁取部材７を圧入してその凹部７ａをフレーム３に嵌合（図２吹出図）させ、図３に示すようにフレーム３にメッシュ状織布６が張設された座板１を構成することができる。このとき、必要に応じて縁取部材７の凹部７ａに接着剤を塗布しておくことにより、縁取部材７の取付状態をより確実なものとすることができる。
【００１６】
図４はメッシュ状織布６を重層構造として強度を向上するようにしたもので、同図に示すように表裏二層とする場合、表層と裏層で材質の異なるメッシュ状織布を採用することができ、例えば、表層に立体織物が施されたメッシュ状織布を採用することにより、高いクッション性や装飾性を得ることができる。
【００１７】
図５は本発明の他の構成例を模式的に示したもので、フレーム３に通気孔３ａを形成するとともに、このフレーム３に枝管８を接続して圧搾空気を注入するようにしたものである。このように構成したことにより、前記通気孔３ａから座板１の裏面に向けて気流が発生し、この気流がメッシュ状織布６を透過して演奏者の臀部に供給され、強制的に発汗を抑制することができる。
【００１８】
図６は本発明のさらに他の構成例を模式的に示したもので、支脚２に適宜手段により送風機９を取り付け、この送風機９を運転することにより座板１の裏面に向けて気流を発生させ、この気流がメッシュ状織布６を透過して演奏者の臀部に供給されるようにしたもので、演奏者の発汗を強制的に抑制するようにしたものである。
【００１９】
【発明の効果】
以上、詳細に説明したように本発明の請求項１記載の発明によれば、バック材ならびにクッション材を採用することなくドラム演奏用椅子を構成することができ、メッシュ状織布を張設するようにしたことから、ドラム演奏時における演奏者の臀部の発汗を抑制して不快感が生じないようにするとともに、挫骨への衝撃を抑止して臀部に痛みが生じないようにすることができ、長時間のドラム演奏においても、演奏者が安定した姿勢で快適に演奏を継続することができる。
【００２０】
そして、請求項２記載の発明によれば、メッシュ状織布を重層して構成したことから強度を向上することができ、さらに請求項３記載の発明によれば、表層のメッシュ状織布に立体織物が施されたものを採用することにより、高いクッション性ならびに装飾性を得ることができる。
【００２１】
請求項４ならびに請求項５記載の発明によれば、座板の裏面に向けて気流を発生するようにしたので、演奏者の臀部の発汗を強制的に抑制することができるとともに演奏者の体温の上昇を抑制することができ、快適なドラム演奏が可能となる。
【図面の簡単な説明】
【図１】本発明のドラム演奏用椅子の完成状態の正面図である。
【図２】本発明の要部の斜視図である。
【図３】本発明による座板の完成状態を示す断面図である。
【図４】本発明による座板の他の組立状態を示す要部断面図である。
【図５】本発明の他の構成例を示す模式図である。
【図６】本発明のさらに他の構成例を示す模式図である。
【図７】従来のドラム演奏用椅子の正面図である。
【符号の説明】
１・・・・・・座板
２・・・・・・支脚
３・・・・・・フレーム
３ａ・・・・・通気孔
４・・・・・・支持フレーム
５・・・・・・支持板
６・・・・・・メッシュ状織布
７・・・・・・縁取部材
７ａ・・・・・凹部
８・・・・・・枝管
９・・・・・・送風機
【図１】
2004233525.tif 000003
【図２】
2004233525.tif 000004
【図３】
2004233525.tif 000005
【図４】
2004233525.tif 000006
【図５】
2004233525.tif 000007
【図６】
2004233525.tif 000008
【図７】
2004233525.tif 000009